(57)【特許請求の範囲】
【請求項１】
筒状部と、前記筒状部の軸線方向の一端側の部位に形成された流体の流通口とを有し、内部が前記流通口を通過する流体の通路となるハウジングと、
前記ハウジング内に設けられ、前記軸線方向に変位して、前記流通口の開度を変更する弁体と、
前記ハウジング内で前記弁体よりも前記軸線方向の他端側に設けられ、前記一端側の端部が前記弁体に係合するスプリングと、を備え、
前記流通口の前記流体の圧力もしくは前記流通口を通過する前記流体の流量に応じて前記弁体が前記開度を変更する弁装置であって、
前記スプリングは、外形が、前記一端側で前記弁体に係合する小径端の径が前記他端側の大径端の径よりも小さい円錐台形状をなしており、
前記ハウジングの前記他端側の部位には、前記弁体を前記ハウジング内に挿設可能な開口が形成されているとともに、前記開口の周縁部に前記大径端が係止する係止部が形成されており、
前記筒状部は、前記弁体を案内する内周面を提供しており、
前記係止部は、前記内周面より大径の凹部として前記内周面に形成され、周方向に延びる係止凹部であることを特徴とする弁装置。
【請求項２】
前記スプリングは、コイル状をなしていることを特徴とする請求項１に記載の弁装置。
【請求項３】
前記大径端には、前記大径端を周方向に捻って縮径させる際に把持する把持部が形成されていることを特徴とする請求項２に記載の弁装置。
【請求項４】
前記開口には、前記開口から前記ハウジング内に前記スプリングを挿設する際に、軸線方向で隣り合う前記スプリングの線間に入り込む、突起部が形成されていることを特徴とする請求項２に記載の弁装置。
【請求項５】
筒状部と、前記筒状部の軸線方向の一端側の部位に形成された流体の流通口とを有し、内部が前記流通口を通過する流体の通路となるハウジングと、
前記ハウジング内に設けられ、前記軸線方向に変位して、前記流通口の開度を変更する弁体と、
前記ハウジング内で前記弁体よりも前記軸線方向の他端側に設けられ、前記一端側の端部が前記弁体に係合するスプリングと、を備え、
前記流通口の前記流体の圧力もしくは前記流通口を通過する前記流体の流量に応じて前記弁体が前記開度を変更する弁装置であって、
前記スプリングは、外形が、前記一端側で前記弁体に係合する小径端の径が前記他端側の大径端の径よりも小さい円錐台形状をなしており、
前記ハウジングの前記他端側の部位には、前記弁体を前記ハウジング内に挿設可能な開口が形成されているとともに、前記開口の周縁部に前記大径端が係止する係止部が形成されており、
前記スプリングは、コイル状をなしており、
前記開口には、前記開口から前記ハウジング内に前記スプリングを挿設する際に、軸線方向で隣り合う前記スプリングの線間に入り込む、突起部が形成されていることを特徴とする弁装置。
【請求項６】
前記開口の周囲には、前記他端側から前記一端側に向かうほど内方に位置するテーパ面が形成されていることを特徴とする請求項１ないし請求項５のいずれか１つに記載の弁装置。
【請求項７】
前記筒状部には、軸線方向に圧縮した前記スプリングを挿通可能な挿入口が形成されていることを特徴とする請求項１に記載の弁装置。
【請求項８】
筒状部と、前記筒状部の軸線方向の一端側の部位に形成された流体の流通口とを有し、内部が前記流通口を通過する流体の通路となるハウジングと、
前記ハウジング内に設けられ、前記軸線方向に変位して、前記流通口の開度を変更する弁体と、
前記ハウジング内で前記弁体よりも前記軸線方向の他端側に設けられ、前記一端側の端部が前記弁体に係合するスプリングと、を備え、
前記流通口の前記流体の圧力もしくは前記流通口を通過する前記流体の流量に応じて前記弁体が前記開度を変更する弁装置であって、
前記スプリングは、外形が、前記一端側で前記弁体に係合する小径端の径が前記他端側の大径端の径よりも小さい円錐台形状をなしており、
前記ハウジングの前記他端側の部位には、前記弁体を前記ハウジング内に挿設可能な開口が形成されているとともに、前記開口の周縁部に前記大径端が係止する係止部が形成されており、
前記筒状部には、軸線方向に圧縮した前記スプリングを挿通可能な挿入口が形成されていることを特徴とする弁装置。
【請求項９】
前記弁体と前記筒状部との間には、周方向における一部に前記流体が通過可能な流体通過部が形成されていることを特徴とする請求項１ないし請求項８のいずれか１つに記載の弁装置。
【請求項１０】
前記弁体には、外周から凹み前記筒状部の軸線方向に延びる凹部が形成されており、前記凹部内が前記流体通過部となっていることを特徴とする請求項９に記載の弁装置。
【請求項１１】
前記ハウジングは樹脂材からなり、一体成形されていることを特徴とする請求項１ないし請求項１０のいずれか１つに記載の弁装置。
【発明の詳細な説明】
【技術分野】
【０００１】
本発明は、流体圧力や流体流量に応じて弁開度を変更する弁装置に関する。
【背景技術】
【０００２】
従来技術として、下記特許文献１に開示された弁装置であるリリーフバルブがある。このリリーフバルブは、内部が収容室であるハウジングと、収容室に配設された弁部材およびコイルスプリングと、キャップとを備えている。弁部材は、ハウジングの一端側で収容室とハウジング外の燃料室とを連通する通路を開閉するものであり、コイルスプリングによりハウジングの一端側に向かって付勢されている。コイルスプリングの弁部材側とは反対側の端部はキャップに係止して弁部材側に押し付けられている。キャップは、ハウジングの他端側でハウジングの内側に圧入された後に熱かしめ等によりハウジングに固定されている。
【０００３】
このような構成により、燃料室および燃料室に繋がる通路の燃料圧力が上昇し、弁部材が燃料から受ける力がコイルスプリングの押し付け力よりも大きくなると、弁部材が通路を開放して燃料室の燃料を排出し、燃料室の過剰な燃料圧力上昇を防止するようになっている。
【先行技術文献】
【特許文献】
【０００４】
【特許文献１】特開２００７−２１８１８２号公報
【発明の概要】
【発明が解決しようとする課題】
【０００５】
しかしながら、上記従来技術の弁装置は、収容室に弁部材およびコイルスプリングを収容したハウジングに対してハウジングとは別体のキャップを固定し、スプリングの端部を係止するものであり、比較的構造が複雑であるという問題がある。
【０００６】
本発明は、上記点に鑑みてなされたものであり、構造を簡素化することが可能な弁装置を提供することを目的とする。
【課題を解決するための手段】
【０００７】
上記目的を達成するため、請求項１に記載の発明では、
筒状部と、筒状部の軸線方向の一端側の部位に形成された流体の流通口とを有し、内部が流通口を通過する流体の通路となるハウジングと、
ハウジング内に設けられ、筒状部の軸線方向に変位して、流通口の開度を変更する弁体と、
ハウジング内で弁体よりも筒状部の軸線方向の他端側に設けられ、筒状部軸線方向の一端側の端部が弁体に係合するスプリングと、を備え、
流通口の流体の圧力もしくは流通口を通過する流体の流量に応じて弁体が流通口の開度を変更する弁装置であって、
スプリングは、外形が、筒状部軸線方向の一端側で弁体に係合する小径端の径が他端側の大径端の径よりも小さい円錐台形状をなしており、
ハウジングの筒状部軸線方向の他端側の部位には、弁体をハウジング内に挿設可能な開口が形成されているとともに、開口の周縁部にスプリングの大径端が係止する係止部が形成されており、筒状部は、弁体を案内する内周面を提供しており、係止部は、内周面より大径の凹部として内周面に形成され、周方向に延びる係止凹部であることを特徴としている。
【０００８】
これによると、円錐台形状のスプリングは、その大径端を、ハウジング内に弁体を挿設可能な開口の周縁部に形成された係止部に係止するとともに、その小径端を、弁体に係合している。したがって、内部に弁体およびスプリングを収容するハウジングとは別体のキャップを設ける必要がない。このようにして、弁装置の構造を簡素化することができる。
【００１０】
また、請求項２に記載の発明では、スプリングは、コイル状をなしていることを特徴としている。これによると、スプリングをコイルスプリングとすることで、大径端が開口周縁の係止部に係止するスプリングを、比較的容易にハウジング内に配設することができる。
【００１１】
また、請求項３に記載の発明では、スプリングの大径端には、大径端を周方向に捻って縮径させる際に把持する把持部が形成されていることを特徴としている。これによると、把持部を把持して大径端を周方向に捻って縮径させることで、大径端が開口周縁の係止部に係止するコイルスプリングを、容易に開口を通過させることができる。
【００１２】
また、請求項４または請求項５に記載の発明では、開口には、開口からハウジング内にスプリングを挿設する際に、軸線方向で隣り合うスプリングの線間に入り込む突起部が形成されていることを特徴としている。これによると、突起部がコイルスプリングの軸線方向で隣り合うスプリングの線間に嵌まり込んだ状態で、コイルスプリングを軸線の周りに回転させることにより、コイルスプリングを螺旋状に回動させて、容易に開口を通過させることができる。
また、請求項６に記載の発明では、開口の周囲には、筒状部軸線方向の他端側から一端側に向かうほど内方に位置するテーパ面が形成されていることを特徴としている。これによると、大径端が開口周縁の係止部に係止するスプリングを、テーパ面を利用して開口を通過させ、容易にハウジング内に配設することができる。
【００１３】
また、請求項７または請求項８に記載の発明では、筒状部には、軸線方向に圧縮したスプリングを挿通可能な挿入口が形成されていることを特徴としている。これによると、大径端が開口周縁の係止部に係止するコイルスプリングを、筒状部軸線方向に交差する方向から、挿入口を介してハウジング内に容易に配設することができる。
【００１４】
また、請求項９に記載の発明では、弁体と筒状部との間には、周方向における一部に流体が通過可能な流体通過部が形成されていることを特徴としている。これによると、弁体と筒状部との間の周方向の一部に形成された流体通過部に流体を通過させて、流通口を通過する流体をハウジング内に流通させることができる。また、周方向の残部で、弁体と筒状部とを摺接させ、弁体が筒状部の軸線方向に変位する際にガイドすることができる。
【００１５】
また、請求項１０に記載の発明では、弁体には、外周から凹み筒状部の軸線方向に延びる凹部が形成されており、この凹部内が流体通過部となっていることを特徴としている。これによると、流体通過部を形成するために、筒状部から内方に向かって突出し先端が弁体のガイドとなる突出部を設ける必要がない。したがって、ハウジングの体格を比較的小型化することが可能である。
また、請求項１１に記載の発明では、ハウジングは樹脂材からなり、一体成形されていることを特徴とする。
【図面の簡単な説明】
【００１６】
【図１】本発明を適用した第１の実施形態における弁装置であるリリーフバルブ１の全体構成を示す断面図である。
【図２】第１の実施形態のリリーフバルブ１の上面図である。
【図３】図１のＩＩＩ−ＩＩＩ線断面図である。
【図４】第１の実施形態のリリーフバルブ１の弁体２０の斜視図である。
【図５】第１の実施形態のリリーフバルブ１のスプリング３０の組付例を説明するための断面図である。
【図６】第１の実施形態のリリーフバルブ１のスプリング３０の組付例を説明するための断面図である。
【図７】第２の実施形態のスプリング３０Ａの構成を示す平面図である。
【図８】第２の実施形態のリリーフバルブのスプリング３０Ａの組付例を説明するための断面図である。
【図９】第３の実施形態のリリーフバルブのスプリング３０Ａの組付例を説明するための断面図である。
【図１０】（ａ）、（ｂ）は、第４の実施形態のリリーフバルブのスプリング３０の組付例を説明するための断面図である。
【図１１】他の実施形態の弁体の斜視図である。
【図１２】他の実施形態のリリーフバルブの全体構成を示す断面図である。
【発明を実施するための形態】
【００１７】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１８】
（第１の実施形態）
本発明を適用した第１の実施形態について、図１〜図６を参照して説明する。
【００１９】
図１は、本発明を適用した第１の実施形態における弁装置であるリリーフバルブ１の全体構成を示す断面図であり、図２は、リリーフバルブ１の上面図（図１の図示上方から見た図）である。また、図３は、図１のＩＩＩ−ＩＩＩ線断面図であり、図４は、リリーフバルブ１の弁体２０の斜視図である。
【００２０】
図１に示すリリーフバルブ１は、例えば、車両の燃料タンク内に貯留された燃料を内燃機関であるエンジンに供給するシステムにおいて、供給燃料の圧力をプレッシャレギュレータで調圧する際に、余剰となった燃料を燃料タンク内へ還流するリターン通路に設けられている。
【００２１】
具体的には、例えば、リリーフバルブ１は、プレッシャレギュレータの調圧室からの燃料流出口と燃料タンク内のジェットポンプとを繋ぐリターン通路２に設けられ、リターン通路２内の燃料圧力が所定圧以上になったときに開弁して、リターン通路２内の燃圧上昇を抑制するようになっている。
【００２２】
リターン通路２にリリーフバルブ１を設けることにより、ジェットポンプに過剰な燃圧が印加させることを防止するとともに、プレッシャレギュレータの燃料流出側（燃料流出口よりも下流側）の燃圧が上昇して調圧機能が低下することを防止することができる。
【００２３】
図１に示すように、リリーフバルブ１は、ハウジング１０、弁体２０、および、スプリング３０により構成されている。ハウジング１０は、例えば樹脂材からなる。ハウジング１０は、リターン通路２を形成する通路形成部材と共用され、リターン通路２とハウジング１０内の流体通路１９とを仕切る仕切壁部１２と、仕切壁部１２と一体成形され、仕切壁部１２の外周縁部から図示上方に立設された円筒部１１（筒状部に相当）とを有している。
【００２４】
仕切壁部１２の中央には、リターン通路２とハウジング１０内の流体通路とを連通し、リターン通路２から流体通路１９へ燃料（流体に相当）を導入することが可能な導入口１３（流通口に相当）が設けられている。仕切壁部１２の流体通路１９に臨む面（図示上面）のうち、導入口１３周囲の縁部は、弁体２０が着座する弁座１４となっている。
【００２５】
弁体２０は、例えばゴム材、もしくは、比較的軟質である樹脂材（例えばハウジング材よりも弾性率が低い樹脂材）からなる。弁体２０は、図１図示横方向に拡がる円盤状部２１と、円盤状部２１の図示下面から図示下方に突出した円柱状部２２と、円盤状部２１の図示上面から図示上方に突出した円柱状部２４とが一体成形されている。円柱状部２２の図示下面のうち外周縁部には、図示下方に向かって突出する円環状のシール突起２３が形成されている。このシール突起２３の先端部が、前述した弁座１４に着座する着座領域となる。
【００２６】
弁体２０の円盤状部２１の外径はハウジング１０の円筒部１１の内径よりも若干小さくなっている。これにより、弁体２０が図示上下方向（円筒部１１の軸線方向）に変位可能であるとともに、弁体２０が変位する際には、円筒部１１の内周面によって弁体２０が案内される。
【００２７】
図２および図４に示すように、弁体２０の円盤状部２１には、外周から内方に向かって凹んだ扇形の凹部２１ａが複数（本例では４つ）形成されている。この凹部２１ａは、弁体２０が弁座１４から離座して導入口１３を開いたときに、導入口１３から導入した燃料を弁体２０の上方へ通過させる、流体通過部１９ａ（図２参照）を構成する。
【００２８】
したがって、弁体２０が図示上下方向に変位する際には、弁体２０の円盤状部２１の外周面のうち凹部２１ａが形成されていない部分が円筒部１１の内周面に摺接して、円筒部１１の内周面によって弁体２０が案内される。
【００２９】
図１に示すように、本実施形態のスプリング３０は、コイルスプリングである。スプリング３０は、図示下方で弁体２０の円盤状部２１の図示上面に当接して係合する端部の径が、図示上方の端部の径よりも小さくなっている。スプリング３０は、図示下方で弁体２０に当接する小径端部３１（小径端）から反対側の大径端部３２（大径端）に向かうにしたがって漸次巻き径が増大しており、外形は円錐台形状をなしている。小径端部３１の内径は、弁体２０の円柱状部２４の外形よりも若干大きくなっている。スプリング３０の小径端部３１は、全周に亘って円盤状部２１の図示上面に当接し、円柱状部２４により弁体２０への位置決めがなされている。
【００３０】
なお、スプリング３０の大径端部３２の座巻は、複数巻き（本例では２巻き）となっており、スプリング３０の外形が円錐台形状であっても安定した端部形状が維持できるようになっている。スプリング３０の小径端部３１の座巻も、複数巻きとしてもかまわない。
【００３１】
ハウジング１０の円筒部１１の内周面のうち、円筒部１１の図示上端よりやや下方には、周方向に延びる凹部が形成されている。この凹部は、スプリング３０の大径端部３２が係止する係止凹部１６ａである。係止凹部１６ａの図示上方で内方に向かって張り出した部分は、係止爪部１６である。円筒部１１における係止凹部１６ａの径は、スプリング３０の大径端部３２の径とほぼ同等となっている。
【００３２】
図２および図３に示すように、係止爪部１６は、円筒部１１の周方向における２箇所（図示左右の２箇所）に円弧状に設けられている。また、係止凹部１６ａは、円筒部１１の周方向において係止爪部１６が設けられた部分の一部（図２図示右下および左下の部分、図３図示右上および左上の部分）に形成されている。この構造は、ハウジング１０を成形する際に、図２図示紙面表裏方向に型開きする金型に、図２に二点鎖線で示すスライドコア９９を備え、アンダーカット構造の係止凹部１６ａを成形するためである。
【００３３】
図２および図３に示すように、円筒部１１の周上において、２つの係止凹部１６ａ形成部分を２つの頂点とする三角形の残りの頂点となる部分には、図２図示手前方向（図１図示上方）に向かって突出する係止突起部１７が形成されている。
【００３４】
スプリング３０の大径端部３２は、２つの係止凹部１６ａと１つの係止突起部１７により、径方向（図２および図３の紙面延在方向）の位置決めがなされ、係止爪部１６（具体的には、図１における係止爪部１６の図示下面）により、軸線方向（図２および図３の紙面表裏方向、図１図示上下方向）の位置決めがなされている。スプリング３０は、弁体２０が弁座１４に着座した状態において、若干縮設されている（若干圧縮された状態となっている）。係止爪部１６、係止凹部１６ａおよび係止突起部１７からなる構成が、本実施形態における係止部に相当する。
【００３５】
図１にも示すように、係止爪部１６の内方側の先端面の位置は、円筒部１１の径方向において、円筒部１１の内周面の位置とほぼ同等である。これにより、ハウジング１０の円筒部１１の図１図示上方端部には、弁体２０をハウジング１０内に挿設可能な開口１５が形成されている。円筒部１１の係止爪部１６の図１図示上方かつ内方側には、図示下方に向かうにしたがって漸次内方に位置する（漸次径が小さくなる）テーパ面１５ａ（傾斜面）が形成されている。すなわち、ハウジング１０の開口１５には、テーパ面１５ａが形成されている。テーパ面１５ａの図１図示上端の径は、スプリング３０の大径端部３２の外径以上となっている。
【００３６】
上述した構成の説明で、円筒部１１の軸線方向において、図１に示す下方側が軸線方向の一端側に相当し、図１に示す上方側が軸線方向の他端側に相当する。
【００３７】
上述した構成のリリーフバルブ１を組み立てるときには、まず、ハウジング１０の開口１５を介して、ハウジング１０内に弁体２０を配設する。次に、スプリング３０を小径端部３１を先頭として、開口１５からハウジング１０内に挿入する。開口１５の径はスプリング３０の大径端部３２の径よりも小さいので、スプリング３０の大径端部３２を含む図１図示上部は、テーパ面１５ａに接触する。
【００３８】
この状態から、例えば図５に示すように、押し込み治具９０を用いて、スプリング３０の大径端部３２をハウジング１０内に押し込む。スプリング３０の大径端部３２は、テーパ面１５ａによって縮径もしくは撓み変形の少なくともいずれかがなされ、開口１５を通過し、図１に示す位置にセットされる。大径端部３２の押し込み時には、円筒部１１の図示上部（係止爪部１６および係止凹部１６ａが形成された部分）が、円筒部１１の径外方向に若干撓み、開口１５の径が拡がる場合もある。
【００３９】
図６に示すように、円筒部１１の図示上部を下部よりも薄肉として撓み易くし、開口１５を拡径することで大径端部３２を通過させるものであってもよい。スプリング３０の大径端部３２の縮径、撓みおよび円筒部１１の上部の径外方向への撓みの少なくともいずれかにより、大径端部３２を所定位置にセットすることができる。
【００４０】
なお、図６に示すように、一対の押し込み治具９０によって大径端部３２を押し込む際には、まず、一方の押し込み治具９０ａで大径端部３２の一部を一方の係止凹部１６ａ内に配設し、次に、他方の押し込み治具９０ｂで大径端部３２の未挿入部分を他方の係止凹部１６ａ内に配設することが好ましい。
【００４１】
上述の構成のリリーフバルブ１によれば、ハウジング１０の円筒部１１の図１図示上端には、弁体２０をハウジング１０内に挿設可能な開口１５が形成されている。弁体２０を弁座１４に押し付けるスプリング３０は、外形が円錐台形状であり、小径端部３１が弁体２０に当接し、大径端部３２が円筒部１１の開口１５の周囲に形成された係止爪部１６、係止凹部１６ａおよび係止突起部１７に係止している。
【００４２】
これによると、ハウジング１０内に弁体２０を挿設するための開口１５に、ハウジング１０とは別体のキャップ等を設ける必要がなく、ハウジング１０、弁体２０およびスプリング３０の３部品でリリーフバルブ１を構成することができる。したがって、リリーフバルブ１の構造を簡素化することができる。
【００４３】
また、スプリング３０は、コイル状のコイルスプリングであるので、スプリング３０の大径端部３２を、大径端部３２よりも僅かに小径の開口１５からハウジング１０内に比較的容易に配設することができる。
【００４４】
また、開口１５の周囲には、円筒部１１の軸線方向の図１図示上端側から下端側に向かって漸次径が小さくなるテーパ面１５ａが形成されている。したがって、スプリング３０の大径端部３２を、テーパ面１５ａを利用して開口１５を通過させることができ、極めて容易にハウジング１０内に配設することができる。
【００４５】
また、弁体２０の円盤状部２１には、外周から凹み円筒部１１の軸線方向に延びる凹部２１ａが形成されており、この凹部２１ａ内が、弁体２０と円筒部１１との間に燃料を通過させる流体通過部１９ａとなっている。したがって、弁体２０が弁座１４から離れて導入口１３を開いたときには、弁体２０と円筒部１１との間の周方向の一部に形成された流体通過部１９ａに流体を通過させて、導入口１３から導入した燃料をハウジング１０内の流体通路１９に流通させることができる。また、弁体２０と円筒部１１との間の周方向の残部で、弁体２０と円筒部１１とを摺接させ、弁体２０が円筒部１１内を変位する際に案内することができる。
【００４６】
これに加え、弁体２０と円筒部１１との間に流体通過部を形成するために、円筒部１１から内方に向かって突出し内方の先端が弁体２０のガイドとなる突出部を設ける必要がない。したがって、ハウジング１０の体格を比較的小型化することができる。
【００４７】
なお、スプリング３０の小径端部３１は、弁体２０に当接して係合していたが、弁体２０に接続して係合しているものであってもよい。この場合には、弁体２０とスプリング３０とを係合させた組立体を形成した後に、組立体をハウジング１０内に配設することも可能である。
【００４８】
（第２の実施形態）
次に、第２の実施形態について図７および図８に基づいて説明する。
【００４９】
本第２の実施形態は、前述の第１の実施形態と比較して、スプリングの大径端部の構成およびスプリングの組付方法が異なる。第１の実施形態に係る図面と同一符号を付した構成、第２の実施形態において説明しない他の構成は、第１の実施形態と同様であり、また同様の作用効果を奏するものである。
【００５０】
図７に示すように、本実施形態のスプリング３０Ａは、第１の実施形態のスプリング３０に対して、大径端部３２で座巻を構成する線材の端部から、径内方向に向かって延びる把持部３３を備えている。把持部３３は、スプリング３０Ａのコイル部分を構成する線材より連続する線材からなり、座巻端で線材を折り曲げて形成されている。
【００５１】
スプリング３０Ａをハウジング１０内へ配設するときには、把持部３３を把持して図７に示す矢印方向に捻り、大径端部３２を回転させて縮径させる。そして、大径端部３２の外径を開口１５の径まで縮径した状態で、開口１５を通過させ、ハウジング１０内に配設する。
【００５２】
このとき、図８に示すように、挿入ガイド９１を用いることが好ましい。挿入ガイド９１は、内径が開口１５の径と同一もしくは若干小さい円筒形状をなしており、図示上端部の内周面側にテーパ面を有している。このテーパ面上でスプリング３０Ａの大径端部３２の縮径を行い、スプリング３０Ａを円筒状の内周面に沿って図示下方に移動させ、開口１５からハウジング１０内に配設する。
【００５３】
本実施形態の構成および組付方法によれば、スプリング３０Ａの大径端部３２には、大径端部３２を周方向に捻って縮径させる際に把持する把持部３３が形成されている。そして、この把持部３３を把持して大径端部３２を周方向に捻って縮径させることで、容易に開口１５を通過させ、スプリング３０Ａの大径端部３２を開口１５周縁の係止部に係止させることができる。
【００５４】
なお、挿入ガイド９１を用いて、スプリング３０Ａをハウジング１０内に挿設してもよいが、挿入ガイド９１を用いることなく、スプリング３０Ａをハウジング１０内に挿設するものであってもよい。
【００５５】
（第３の実施形態）
次に、第３の実施形態について図９に基づいて説明する。
【００５６】
本第３の実施形態は、前述の第１の実施形態と比較して、スプリングの大径端部の構成およびスプリングの組付方法が異なる。第１、第２の実施形態に係る図面と同一符号を付した構成、第３の実施形態において説明しない他の構成は、第１、第２の実施形態と同様であり、また同様の作用効果を奏するものである。
【００５７】
図９に示すように、本実施形態のハウジング１０は、円筒部１１の図示上端部の開口１５に、開口１５の内周面から内方に向かって突出する複数の突起部１５ｂが設けられている。これらの突起部１５ｂは、図示するようにスプリング３０Ａをテーパ面１５ａ上に載置したときに、スプリング３０Ａの軸線方向で隣り合う線間に入り込むようになっている。
【００５８】
スプリング３０Ａをハウジング１０内へ配設するときには、スプリング３０Ａをテーパ面１５ａ上に置き、把持部３３を把持してスプリング３０Ａを軸線周りに回転させる。このとき、突起部１５ｂがスプリング３０Ａの線間に嵌まり込んでいるので、スプリング３０Ａは螺旋状に回動される。これに伴い、大径端部３２が把持部３３を把持しての捻り動作とテーパ面１５ａとの効果により縮径されて開口１５を通過し、スプリング３０Ａがハウジング１０内の所定位置にセットされる。
【００５９】
本実施形態の構成および組付方法によれば、突起部１５ｂがスプリング３０Ａの軸線方向で隣り合うスプリング３０Ａの線間に嵌まり込んだ状態で、スプリング３０Ａを軸線の周りに回転させることによってスプリング３０Ａを螺旋状に回動させる。これにより、容易に開口１５を通過させ、スプリング３０Ａの大径端部３２を開口１５周縁の係止部に係止させることができる。
【００６０】
なお、突起部１５ｂは、開口１５を形成する（開口１５に臨む）係止爪部１６の内方先端に形成していたが、テーパ面１５ａに形成するものであってもよい。また、突起部１５ｂは、円柱形状や角柱形状の突起部であってもよいが、スプリング３０Ａの巻き方向に対応して斜めに延びる壁状の突起部であってもよい。
【００６１】
（第４の実施形態）
次に、第４の実施形態について図１０に基づいて説明する。
【００６２】
本第４の実施形態は、前述の第１の実施形態と比較して、ハウジングの構成およびスプリングの組付方法が異なる。第１の実施形態に係る図面と同一符号を付した構成、第４の実施形態において説明しない他の構成は、第１の実施形態と同様であり、また同様の作用効果を奏するものである。
【００６３】
図１０に示すように、本実施形態のハウジング１０の円筒部１１の周方向の一部には、スプリング３０をハウジング１０内に挿入するための挿入口１１ａが形成されている。挿入口１１ａは、矩形状をなす開口であり、円筒部１１のうち、係止爪部１６の下方となる位置に設けられている。
【００６４】
スプリング３０をハウジング１０内へ配設するときには、まず、図１０（ａ）に示すように、スプリング３０を一対のガイドプレート９２で挟んで軸線方向に圧縮する。そして、圧縮状態を維持したまま、一対のガイドプレート９２とともに、スプリング３０を挿入口１１ａを介してハウジング１０内に挿入する。
【００６５】
スプリング３０は、外形が円錐台形状をなしており、軸線方向に圧縮したときには、軸線方向隣り合う線材のうち、小径側の線材が大径側の線材の内側に入り込むようになっている。したがって、スプリング３０を軸線方向寸法が最小となるように圧縮した場合には、図１０（ａ）に示すように、スプリング３０の厚さ（図示上下方向の軸線方向長さ）は大径端部３２の座巻部の厚さとなるようになっている。
【００６６】
スプリング３０をハウジング１０内に挿入したら、次に、図１０（ｂ）に示すように、一対のガイドプレート９２のうち、図示下方のガイドプレート９２ａを挿入口１１ａから引き抜く。これにより、スプリング３０の圧縮状態が解除されて、スプリング３０の小径端部３１が弁体２０に当接する。その後、図示上方のガイドプレート９２ｂを挿入口１１ａから引き抜く。これにより、スプリング３０の大径端部３２が開口１５周縁の係止部に係止され、スプリング３０がハウジング１０内の所定位置にセットされる。
【００６７】
本実施形態の構成および組付方法によれば、ハウジング１０の円筒部１１には、軸線方向に圧縮したスプリング３０を挿通可能な挿入口１１ａが形成されており、この挿入口１１ａを介して、円筒部１１の軸線方向に交差する方向から、スプリング３０をハウジング１０内に容易に配設することができる。
【００６８】
なお、本実施形態のハウジング１０には、係止突起部１７は形成されていない。したがって、本実施形態のリリーフバルブ１は、円筒部１１に挿入口１１ａが形成された側（図示右方側）が上方となるような姿勢で用いることが好ましい。これによれば、大径端部３２の径方向の位置ずれを抑制することができる。
【００６９】
（他の実施形態）
以上、本発明の好ましい実施形態について説明したが、本発明は上述した実施形態に何ら制限されることなく、本発明の主旨を逸脱しない範囲において種々変形して実施することが可能である。
【００７０】
上記実施形態では、リリーブバルブ１の弁体は、図４に示す構造であったが、これに限定されるものではない。例えば、図１１に示すように、円盤状部２１の外周から内方に向かって凹んだ略半円形状の凹部２１ｂを複数設けたものであってもよい。
【００７１】
また、上記実施形態では、弁体２０に凹部２１ａを形成して、弁体２０とハウジング１０の円筒部１１との間に燃料を通過させる流体通過部１９ａとしていたが、これに限定されるものではない。例えば、図１２に示すように、円筒部１１の内周面に図示上下方向に延びる複数のガイドリブ１８を形成し、複数のガイドリブ１８の間を流体通過部としてもかまわない。図１２に示すリリーフバルブでは、弁体の円盤状部は円形であり、外周面に凹部は形成されていない。
【００７２】
また、上記実施形態では、スプリング３０、３０Ａは、コイル状をなすコイルスプリングであったが、これに限定されるものではない。例えば、スプリングに、外形が略円錐台形状をなす皿ばね等を採用してもかまわない。
【００７３】
また、上記実施形態では、ハウジング１０は、弁体２０が変位する方向に軸線が延びる筒状部である円筒部１１を有していたが、これに限定されるものではない。例えば、楕円形状の筒状部を採用してもかまわない。
【００７４】
また、上記実施形態では、弁体２０が開弁したときにハウジング１０内の流体通路１９を流れる流体は液体燃料であったが、これに限定されるものではない。流体は、他の液体であってもよいし、気体であってもかまわない。
【００７５】
また、上記実施形態では、リリーフバルブ１は、流体が流れるリターン通路２に連通する導入口１３を有し、リターン通路２内の燃料圧力が上昇したときに開弁するものであったが、これに限定されるものではない。例えば、導入口が流体の貯留部に連通しており、リリーフバルブは、貯留部の流体圧力が上昇したときに開弁するものであってもよい。
【００７６】
また、上記実施形態では、本発明をリリーフバルブに適用した例について説明したが、本発明を適用する弁装置は、リリーフバルブに限定されるものではない。例えば、ハウジング内を流れ流通口である導出口から導出される流体流量が増大したときに弁座に着座して閉弁するカットオフバルブであってもよい。また、例えば、流体の流量に応じて弁体を変位させて流通口の開度を変更することで流量を調節する、流路を閉じることのない弁装置であってもかまわない。
【００７７】
本発明は、ハウジング、弁体およびスプリングからなり、流通口の流体圧力もしくは流通口を通過する流体流量に応じて弁体が開度を変更する弁装置に広く適用することができる。また、本発明の構成は、流体の圧力変動（例えば脈動）を吸収するダンパ装置に適用しても有効である。
【符号の説明】
【００７８】
１  リリーフバルブ（弁装置）
１０  ハウジング
１１  円筒部（筒状部）
１１ａ  挿入口
１３  導入口（流通口）
１５  開口
１５ａ  テーパ面
１５ｂ  突起部
１６  係止爪部（係止部の一部）
１６ａ  係止凹部（係止部の一部）
１７  係止突起部（係止部の一部）
１９  流体通路（流体の通路）
１９ａ  流体通過部
３０  スプリング
３１  小径端部（小径端）
３２  大径端部（大径端）
３３  把持部
【図１】
0005910049.tif 000002
【図２】
0005910049.tif 000003
【図３】
0005910049.tif 000004
【図４】
0005910049.tif 000005
【図５】
0005910049.tif 000006
【図６】
0005910049.tif 000007
【図７】
0005910049.tif 000008
【図８】
0005910049.tif 000009
【図９】
0005910049.tif 000010
【図１０】
0005910049.tif 000011
【図１１】
0005910049.tif 000012
【図１２】
0005910049.tif 000013